(57)【特許請求の範囲】
【請求項１】
本体と、この本体に設けられたプラグ部と、下流側の端部が上記プラグ部に接続され、上流側の端部に一次側ガス管が接続される一次側接続部が設けられた導入管部と、この導入管部から分岐し、下流側の端部に二次側ガス管が接続される二次側接続部が設けられた分岐管部とを備えたガスコンセントにおいて、
上記二次側接続部が水平方向と鉛直方向との間のいずれかの方向に向けて設けられ、
上記プラグ部、上記導入管部及び分岐管部が一つの鉛直面上に配置されていることを特徴とするガスコンセント。
【請求項２】
上記一次側接続部が鉛直下方に向けて設けられ、上記二次側接続部が鉛直上方に向けて設けられ、上記一側側接続部と上記二次側接続部とが上下方向へ一直線上に並んで配置されていることを特徴とする請求項１に記載のガスコンセント。
【請求項３】
上記一次側接続部及び上記二次側接続部が同一方向に向けて水平に設けられ、上記一次側接続部及び上記二次側接続部が上下に並んで配置されていることを特徴とする請求項１に記載のガスコンセント。
【請求項４】
上記一次側接続部が鉛直下方に向けて設けられ、上記二次側接続部が水平方向に向けて設けられていることを特徴とする請求項１に記載のガスコンセント。
【請求項５】
上記一次側接続部が斜め下方に向けて設けられ、上記二次側接続部が斜め上方に向けて設けられ、上記一次側接続部と上記二次側接続部とが同一側に向けられていることを特徴とする請求項１に記載のガスコンセント。
【発明の詳細な説明】
【技術分野】
【０００１】
この発明は、例えばリビングルームと対面式キッチンとの下部どうしを隔てる壁部に設けるのに好適なガスコンセントに関する。
【背景技術】
【０００２】
一般に、この種のガスコンセントは、下記非特許文献１に記載されているように、ハウジングと、このハウジングに設けられたプラグ部と、このプラグ部に接続された導入管部と、この導入管部から分岐する分岐管部とを有している。導入管部の上流側端部には、一次側接続部が設けられており、この一次側接続部にはガスを供給する一次側ガス管が接続される。一方、分岐管部の下流側端部には、二次側接続部が設けられている。この二次側接続部には、二次側ガス管が接続される。二次側ガス管は、キッチンに設置されたガスコンロ等のガス機器に接続される。
【０００３】
【非特許文献１】日本工業規格  Ｓ  ２１２０−１９９２の解説図１
【発明の開示】
【発明が解決しようとする課題】
【０００４】
上記従来のガスコンセントにおいては、分岐管部の二次側接続部が下方に向けて設けられていた。しかるに、分岐管部に二次側ガス管を介して接続されるガス機器は、ガスコンセントより上方に設置されている。したがって、分岐管部とキッチンのガス機器とを接続する際には、二次側ガス管の分岐管部近傍部分を「Ｕ」字状に曲げなければならない。このため、二次側ガス管の長さが長くなってその分だけ費用が嵩むという問題があった。また、二次側ガス管を「Ｕ」字状に湾曲させると、二次側ガス管内の流通抵抗が増大するという問題があった。
【課題を解決するための手段】
【０００５】
この発明は、上記の問題を解決するために、本体と、この本体に設けられたプラグ部と、下流側の端部が上記プラグ部に接続され、上流側の端部に一次側ガス管が接続される一次側接続部が設けられた導入管部と、この導入管部から分岐し、下流側の端部に二次側ガス管が接続される二次側接続部が設けられた分岐管部とを備えたガスコンセントにおいて、上記二次側接続部が水平方向と鉛直方向との間のいずれかの方向に向けて設けられ、上記プラグ部、上記導入管部及び分岐管部が一つの鉛直面上に配置されていることを特徴としている。
この場合、上記一次側接続部が鉛直下方に向けて設けられ、上記二次側接続部が鉛直上方に向けて設けられ、上記一次側接続部と上記二次側接続部とが上下方向へ一直線上に並んで配置されていることが望ましい。
上記一次側接続部及び上記二次側接続部が同一方向に向けて水平に設けられ、上記一次側接続部及び上記二次側接続部が上下に並んで配置されていることが望ましい。
上記一次側接続部が鉛直下方に向けて設けられ、上記二次側接続部が水平方向に向けて設けられていることが望ましい。
上記一次側接続部が斜め下方に向けて設けられ、上記二次側接続部が斜め上方に向けて設けられ、上記一次側接続部と上記二次側接続部とが同一側に向けられていることが望ましい。
【発明の効果】
【０００６】
上記特徴構成を有するこの発明によれば、分岐管部の二次側接続部が水平方向と鉛直上方との間のいずれかの方向に向けて設けられているから、分岐管部に接続される二次側ガス管は、「Ｕ」字状に曲げる必要がなく、最大でも直角に曲げれば足りる。したがって、二次側ガス管の長さを短くすることができる。また、二次側ガス管内の流通抵抗を小さくすることができる。
【発明を実施するための最良の形態】
【０００７】
以下、この発明を実施するための最良の形態を、図面を参照して説明する。
図１〜図３は、この発明の第１実施の形態を示す。この実施の形態は、対面式キッチンの隔壁Ｗにこの発明に係るガスコンセント１を設けたものであり、図１に示すように、キッチンＫとリビングルームＬとの間には、高さが１ｍ〜１ｍ５０ｃｍ程度である隔壁Ｗが床部Ｆに立設されている。隔壁Ｗは、リビングルームＬに面する第１壁板Ｗ１と、キッチンＫに面する第２壁板Ｗ２とを有している。第１及び第２壁板Ｗ１，Ｗ２間は、空間になっており、この空間の上端部は、隔壁Ｗの上端部に設けられたテーブルＴによって閉じられている。
【０００８】
第１壁板Ｗ１の下部には、ガスコンセント１が設けられている。ガスコンセント１は、図２及び図３に示すように、ハウジング（本体）２を有している。このハウジング２のリビングルームＬ側の端部は、第１壁板Ｗ１に設けられた貫通孔Ｗａに挿入されており、ボルトＢ及び挟持板３によって第１壁板Ｗ１に固定されている。ハウジング２の貫通孔ＷａからリビングルームＬに突出した端部には、化粧蓋４が設けられている。この化粧蓋４により、ハウジング２及び貫通孔ＷａがビングルームＬ側から見えないように遮蔽されている。
【０００９】
ハウジング２の隔壁Ｗ内に位置する部分には、ガス栓５が着脱可能に取り付けられている。ガス栓５は、基部６と管部７とを有している。
【００１０】
基部６のリビングルームＬ側の端部には、プラグ部６ａが設けられている。このプラグ部６ａは、水平方向に延びており、その先端面を貫通孔Ｗａと対向させて配置されている。基部６の内部には、鉛直ガス孔６ｂ及び水平ガス孔６ｃが形成されている。鉛直ガス孔６ｂは、基部６の下端面から上方へ向って延びている。水平ガス孔６ｃは、その軸線をプラグ部６ａの軸線と一致させて水平に延びている。水平ガス孔６ｃの一端部は、基部６のキッチンＫ側の端面に開口しているが、その開口部は蓋体６ｄによって閉じられている。水平ガス孔６ｃの他端部は、プラグ部６ａの先端面に開口している。水平ガス孔６ｃは、その中間部において鉛直ガス孔６ｂの上端部と交差している。したがって、鉛直ガス孔６ｂと水平ガス孔６ｃとは連通している。鉛直ガス孔６ｂには、管部７を介してガスが供給される。
【００１１】
鉛直ガス孔６ｂの内部には、当該内部を流れるガスの流量が所定の量を越えると鉛直ガス孔６ｂを閉じる過流出防止弁８が設けられている。一方、水平ガス孔６ｃの内部には、主弁９及び副弁１０が設けられている。主弁９及び副弁１０は、プラグ部６ａに日本工業規格ＪＩＳ  Ｓ  ２１３５で定められたソケット（図示せず）が接続されると水平ガス孔６ｃを開く。この結果、鉛直ガス孔６ｂに供給されたガスが、水平ガス孔６ｃ、ソケット及びこのソケットに接続されたガス管（二次側ガス管）を介してガス機器に供給される。主弁９及び副弁１０は、ソケットがプラグ部６ａから取り外されると水平ガス孔６ｃを閉じる。なお、過流出防止弁８、主弁９及び副弁１０は、周知のものであるので、その詳細な構造についての説明は省略する。
【００１２】
管部７は、互いに一体に形成された導入管部１１及び分岐管部１２を有している。導入管部１１及び分岐管部１２は、プラグ部６ａの軸線を含む一つの鉛直面上に配置されている。勿論、導入管部１１と分岐管部１２とは、異なる鉛直面上に配置してもよい。導入管部１１は、略「く」字状に形成されており、その上端部が基部６の下端部に取り付けられている。導入管部１１の内部は、鉛直ガス孔６ｂに連通している。導入管部１１の下端部は、下方へ向うにしたがってキッチンＫに接近するよう傾斜させられている。分岐管部１２は、導入管部１１の傾斜した部分の上端部に一体に設けられており、当該傾斜した部分とほぼ直交する方向に延びている。つまり、分岐管部１２は、上方へ向うにしたがってキッチンＫに接近するように傾斜させられている。この結果、分岐管部１２の先端部は、導入管部１１の下端部より上方に位置させられている。分岐管部１２の内部は、導入管部１１の内部に連通させられている。
【００１３】
導入管部１１の下端部には、一次側接続部１３が設けられている。この一次側接続部１３は、導入管部１１に一次側ガス管Ｇ１を接続するためのものであり、一次側ガス管Ｇ１の種類に対応してその構造が定められる。例えば、この実施の形態では、一次側ガス管Ｇ１としてフレキシブルガス管が用いられているので、一次側接続部１３としてフレキシブルガス管用の接続構造が採用されている。特に、この実施の形態では、フレキシブルガス管を導入管部１１の下端部に挿入するだけで接続することができるワンタッチ式の接続構造が採用されている。一次側ガス管Ｇ１として剛性を有するガス管が用いられる場合には、一次側接続部１３として例えばテーパ雌ねじが採用される。なお、一次側ガス管Ｇ１は、図１に示すように、第２壁板Ｗ２に形成された貫通孔ＷｂからシステムキッチンＳと第２壁板Ｗ２との間に引き出され、それらの間を下方に延び、床部Ｆを貫通して元栓（図示せず）に接続されている。したがって、導入管部１１には、一次側ガス管Ｇ１からガスが供給される。
【００１４】
導入管部１１の一次側接続部１３より上方に位置する分岐管部１２の先端部には、二次側接続部１４が設けられている。この二次側接続部１４は、分岐管部１２に二次側ガス管Ｇ２を接続するためのものであり、二次側ガス管Ｇ２の種類に対応してその構造が定められる。この実施の形態では、二次側ガス管Ｇ２としてフレキシブルガス管Ｇ２が採用されているので、フレキシブルガス管用のワンタッチ式接続構造が採用されている。勿論、二次側ガス管Ｇ２として剛性を有するガス管が用いられる場合には、二次側接続部１４としてテーパ雌ねじが採用される。なお、二次側ガス管Ｇ２は、貫通孔ＷｂからシステムキッチンＳと第２壁板Ｗ２との間に引き出され、それらの間を上方に延び、システムキッチンＳの筐体Ｓ１に形成された貫通孔Ｓ２を通ってシステムキッチンＳ内に導入され、ガステーブル（ガス機器）ＧＴ用のガス栓ＧＶに接続されている。
【００１５】
上記構成のガスコンセント１においては、分岐管部１２が斜め上方に向けて設けられているので、図１から明らかなように、ガスコンセント１より上方に配置されたガステーブルＧＴのガス栓ＧＶに二次側ガス管Ｇ２を接続するに際しては、二次側ガス管Ｇ２の分岐管部１２近傍部分を「Ｕ」字状に湾曲させる必要がなく、４５°程度だけ僅かに曲げるだけで済む。したがって、二次側ガス管Ｇ２の長さを短くすることができるとともに、二次側ガス管Ｇ２内の流通抵抗を小さくすることができる。
【００１６】
また、この実施の形態のガスコンセント１においては、二次側接続部１４が一次側接続部１３に対して上方に配置されているので、両者を同一高さに配置した従来のものに比して配置位置の差の分だけ二次側ガス管Ｇ２の長さを短くすることができる。しかも、一次側及び二次側ガス管Ｇ１，Ｇ２を一次側及び二次側接続部１３，１４にそれぞれ容易に接続することができる。すなわち、仮に一次側及び二次側接続部１３，１４が同一高さに配置されていたものとすると、一次側及び二次側ガス管Ｇ１，Ｇ２のいずれか一方を接続した後に他方を接続するときには、先に接続された一方のガス管が接続の邪魔になる。この点、二次側接続部１４を一次側接続部１３より高い位置に配置したこの実施の形態のガスコンセント１によれば、一次側及び二次側ガス管Ｇ１，Ｇ２のいずれを先に接続した場合であっても他方を接続する際に先に接続された一方が邪魔になることがない。したがって、一次側及び二次側ガス管Ｇ１，Ｇ２を容易に接続することができる。
【００１７】
次に、この発明の他の実施の形態について説明する。なお、以下の実施の形態については、上記実施の形態と異なる構成だけを説明することとし、同様な部分には同一符号を付してその説明を省略する。
【００１８】
図４及び図５は、この発明の第２実施の形態を示す。この実施の形態のガスコンセント１Ａにおいては、導入管部１１が、ほぼ直角に曲げられており、上下方向に延びる鉛直管部１１ａと、この鉛直管部１１ａの上端部からリビングルームＬ側に向って水平に延びる水平管部１１ｂとを有している。水平管部１１ｂの先端部の上部が基部６の下端部に取り付けられている。鉛直管部１１ａの下端部に一次側接続部１３が設けられている。一次側接続部１３に接続された一次側ガス管Ｇ１は、第１及び第２板部Ｗ１，Ｗ２間の空間を第２板部Ｗ２に沿って下方に延び、床部Ｆを貫通して元栓に接続されている。分岐管部１２は、その軸線が鉛直管部１１ａの軸線と一致するよう、鉛直管部１１ａの上方に配置されている。分岐管部１２の上端部には、二次側接続部１４が設けられている。したがって、二次側ガス管Ｇ２については、二次側接続部１４近傍では曲げる必要が全くなく、真っ直ぐ上方に延びるように配置される。よって、二次側ガス管Ｇ２の長さをさらに短くすることができるとともに、その内部の流通抵抗を小さくすることができる。
【００１９】
なお、二次側接続部１４に接続された二次側ガス管Ｇ２は、第１及び第２板部Ｗ１，Ｗ２間の空間を第２板部Ｗ２に沿って上方へ延び、適宜の位置において第２板部Ｗ２を貫通してシステムキッチンＳ内に導入されている。このように、この実施の形態においては、一次側及び二次側ガス管Ｇ１，Ｇ２が第１及び第２板部Ｗ１，Ｗ２間の空間内を上下に延びるよう、鉛直管部１１ａ及び分岐管部１２が第１及び第２板部Ｗ１，Ｗ２間の空間内に配置されているが、水平管部１１ｂをキッチンＫ側に向って第２板部Ｗ２を貫通するまで延ばし、鉛直管部１１ａ及び分岐管部１２を隔壁Ｗの外側、つまり第２壁板Ｗ２と筐体Ｓ１との間に配置してもよい。
【００２０】
図６及び図７は、この発明の第３実施の形態を示す。この実施の形態のガスコンセント１Ｂにおいても、第２実施の形態と同様に、導入管部１１がほぼ直角に曲げられている。しかし、この実施の形態では、第２実施の形態とは異なり、基部６に取り付けられる部分が鉛直管部１１ｃになっており、この鉛直管部１１ｃの下端部にキッチンＫ側へ向って水平に延びる水平管部１１ｄが一体に設けられている。この水平管部１１ｄの先端部に一次側接続部１３が設けられている。分岐管部１２は、鉛直管部１１ｃの上下方向の中間部に設けられている。しかも、分岐管部１２は、キッチンＫ側に向って水平に延び、水平管部１１ｄの真上に並んで配置されている。この実施の形態では、二次側ガス管Ｇ２が二次側接続部１４の近傍においてほぼ直角に曲げられる。一次側ガス管Ｇ１も同様である。
【００２１】
図８及び図９は、この発明の第４実施の形態を示す。この実施の形態のガスコンセント１Ｃにおいては、導入管部１１全体が上下方向に延びており、その上端部が基部６の下端部に取り付けられている。また、導入管部１１の下端部に一次側接続部１３が設けられている。導入管部１１の上部には、そこからキッチンＫ側へ向って水平に延びる分岐管部１２が一体に設けられている。この分岐管部１２の先端部に二次側接続部１４が設けられている。
【００２２】
なお、この発明は、上記の実施の形態に限定されるものでなく、その要旨を逸脱しない範囲において適宜変更可能である。
例えば、上記の実施の形態においては、導入管部１１と分岐管部１２とが一体に形成されているが、両者を別体に形成してもよい。そして、分岐管部１２を導入管部１１に例えば螺合固定してもよい。
また、上記の実施の形態においては、分岐管部１２が一つしか設けられていないが、複数設けてもよい。その場合には、複数の分岐管部１２を上下に並べて配置してもよく、水平方向に並べて配置してもよいが、特に隔壁Ｗに沿って水平方向に並べて配置するのが望ましい。
【図面の簡単な説明】
【００２３】
【図１】この発明の第１実施の形態を示す断面図である。
【図２】同実施の形態の要部を示す拡大図である。
【図３】同要部の拡大断面図である。
【図４】この発明の第２実施の形態の要部を示す拡大図である。
【図５】同要部の拡大断面図である。
【図６】この発明の第３実施の形態の要部を示す拡大図である。
【図７】同要部の拡大断面図である。
【図８】この発明の第４実施の形態の要部を示す拡大図である。
【図９】同要部の拡大断面図である。
【符号の説明】
【００２４】
Ｇ１  一次側ガス管
Ｇ２  二次側ガス管
１  ガスコンセント
１Ａ  ガスコンセント
１Ｂ  ガスコンセント
１Ｃ  ガスコンセント
２  ハウジング（本体）
６ａ  プラグ部
１１  導入管部
１２  分岐管部
１３  一次側接続部
１４  二次側接続部
【図１】
0005237701.tif 000002
【図２】
0005237701.tif 000003
【図３】
0005237701.tif 000004
【図４】
0005237701.tif 000005
【図５】
0005237701.tif 000006
【図６】
0005237701.tif 000007
【図７】
0005237701.tif 000008
【図８】
0005237701.tif 000009
【図９】
0005237701.tif 000010